【手続補正書】
【提出日】平成26年4月16日(2014.4.16)
【手続補正１】
【補正対象書類名】明細書
【補正対象項目名】発明の名称
【補正方法】変更
【補正の内容】
【発明の名称】汚泥の処理方法及びその処理装置
【手続補正２】
【補正対象書類名】明細書
【補正対象項目名】０００８
【補正方法】変更
【補正の内容】
【０００８】
本発明は、以下のとおりである。
１）（１）汚泥貯留槽内の汚泥容量、及び汚泥濃度を計測する工程、
（２）汚泥貯留槽に追加投入される汚泥の汚泥容量、及び汚泥濃度を計測する工程、
（３）上記工程（１）及び（２）から該汚泥貯留槽内の汚泥の固形物量、及び添加すべき脱水助剤量を算出する工程、
（４）前記算出された量の脱水助剤を投入機構により該汚泥貯留槽内の汚泥に一括乃至分割して投入する工程、
（５）上記工程（４）で得られた脱水助剤が混合された汚泥を脱水する工程、を含むことを特徴とする汚泥の処理方法。
２）（１）汚泥貯留槽内の汚泥容量、及び汚泥濃度を計測する工程、
（２）汚泥貯留槽に追加投入される汚泥の汚泥容量、及び汚泥濃度を計測する工程、
（３）上記工程（１）における該汚泥貯留槽内の汚泥の固形物量、及び添加すべき脱水助剤量を算出する工程、
（４）上記工程（３）で算出された量の脱水助剤を投入機構により該汚泥貯留槽内の汚泥に一括乃至分割して投入する工程、
（５）上記工程（４）で得られた脱水助剤が混合された汚泥の脱水を開始する工程、
（６）上記工程（２）における追加の汚泥の固形物量、及び添加すべき脱水助剤量を算出する工程、
（７）上記工程（６）で算出された量の脱水助剤を該追加の汚泥に連動して投入機構により該汚泥貯留槽に添加する工程、を含むことを特徴とする汚泥の処理方法。
３）（１）脱水工程に供給される汚泥の汚泥容量、及び汚泥濃度を計測する工程、
（２）上記工程（１）から該汚泥に単位時間当たりに添加すべき脱水助剤量を算出する工程、
（３）上記工程（２）で算出された量の脱水助剤を投入機構により汚泥貯留槽、汚泥流路、汚泥計量槽、及び凝集槽から選択される少なくとも１箇所の汚泥に投入する工程、
（４）上記工程（３）で得られる脱水助剤が混合された汚泥を脱水する工程、を含むことを特徴とする汚泥の処理方法。
４）汚泥流路、汚泥貯留槽、汚泥計量槽、混和槽、及び脱水機を備え、汚泥が、汚泥流路により、汚泥貯留槽、汚泥計量槽、混和槽、及び脱水機の順に移送される汚泥の処理装置において、
脱水機にて脱水すべき汚泥の汚泥濃度、及び汚泥容量を計測し、添加される脱水助剤量を求めるための汚泥濃度・汚泥容量測定手段と、
前記汚泥容量測定手段より汚泥の固形物量、及び汚泥に混合される脱水助剤量を求める算出手段と、
汚泥貯留槽、汚泥流路、汚泥計量槽、及び混和槽の少なくとも何れか１箇所以上の汚泥に、一括乃至分割して前記脱水助剤量となるように脱水助剤を投入する投入手段と、
所望により凝集剤、又は脱水助剤が投入され、汚泥と混合する混合手段と、
を有することを特徴とする汚泥の処理装置。
【手続補正３】
【補正対象書類名】明細書
【補正対象項目名】００１２
【補正方法】変更
【補正の内容】
【００１２】
以下、本発明を詳細に説明する。
本発明の汚泥の処理方法１）（以下、本方法１）ともいう）は、少なくとも以下の工程（１）〜（５）を含む。
（１）汚泥貯留槽内の汚泥容量、及び汚泥濃度を計測する工程、
（２）汚泥貯留槽に追加投入される汚泥の汚泥容量、及び汚泥濃度を計測する工程、
（３）上記工程（１）及び（２）から該汚泥貯留槽内の汚泥の固形物量、及び添加すべき脱水助剤量を算出する工程、
（４）前記算出された量の脱水助剤を投入機構により該汚泥貯留槽内の汚泥に一括乃至分割して投入する工程、
（５）上記工程（４）で得られた脱水助剤が混合された汚泥を脱水する工程、を含むことを特徴とする汚泥の処理方法。
上記工程（１）は、汚泥容量、及び汚泥濃度を計測することで、汚泥貯留槽内の汚泥の固形物量を求めるものである。本発明において、固形物量とは、固形物の質量を意味する。同様に該工程（２）では、該追加投入される汚泥の固形物量を求める。そして、該工程（３）では、該工程（１）及び（２）から汚泥貯留槽内に存在する全汚泥の固形物量を求めるとともに該固形物量に基づいて添加すべき脱水助剤量を算出する。該工程（４）では、該脱水助剤量を汚泥貯留槽内の汚泥に投入機構により一括乃至分割して投入し、該工程（５）では、該脱水助剤が混合された汚泥を脱水する。
【手続補正４】
【補正対象書類名】明細書
【補正対象項目名】００１３
【補正方法】変更
【補正の内容】
【００１３】
本発明の汚泥の処理方法２）（以下、本方法２）ともいう）は、少なくとも以下の工程（１）〜（７）を含む。
（１）汚泥貯留槽内の汚泥容量、及び汚泥濃度を計測する工程、
（２）汚泥貯留槽に追加投入される汚泥の汚泥容量、及び汚泥濃度を計測する工程、
（３）上記工程（１）における該汚泥貯留槽内の汚泥の固形物量、及び添加すべき脱水助剤量を算出する工程、
（４）上記工程（３）で算出された量の脱水助剤を投入機構により該汚泥貯留槽内の汚泥に一括乃至分割して投入する工程、
（５）上記工程（４）で得られた脱水助剤が混合された汚泥の脱水を開始する工程、
（６）上記工程（２）における追加の汚泥の固形物量、及び添加すべき脱水助剤量を算出する工程、
（７）上記工程（６）で算出された量の脱水助剤を該追加の汚泥に連動して投入機構により該汚泥貯留槽に添加する工程、を含むことを特徴とする汚泥の処理方法。
本方法２）が本方法１）と相違する点は、本方法２）では、汚泥貯留槽に追加される汚泥の固形物量に対応した脱水助剤量と先に脱水される汚泥の脱水助剤量を別個に算出し、各々の汚泥に相当する量の脱水助剤を別個に各々の汚泥に投入する点である。本方法２）においても、本方法１）と同様に該別個の脱水助剤は、何れも汚泥貯留槽内の汚泥に投入される。
本方法２）は、先の汚泥と汚泥濃度等が異なった汚泥を処理する場合に有効であり、本方法１）は、汚泥濃度等が一定の場合に有効である。
本方法１）及び２）において、汚泥貯留槽で脱水助剤と混合された汚泥は、脱水工程に移送されるが、脱水工程の前段で任意の処理が施されてもよい。後述の本発明３）についても上記と同様である。
【手続補正５】
【補正対象書類名】明細書
【補正対象項目名】００１４
【補正方法】変更
【補正の内容】
【００１４】
本発明の汚泥の処理方法３）（以下、本方法３）ともいう）は、少なくとも以下の工程（１）〜（４）を含む。
（１）脱水工程に供給される汚泥の汚泥容量、及び汚泥濃度を計測する工程、
（２）上記工程（１）から該汚泥に単位時間当たりに添加すべき脱水助剤量を算出する工程、
（３）上記工程（２）で算出された量の脱水助剤を投入機構により汚泥貯留槽、汚泥流路、汚泥計量槽、及び凝集槽から選択される少なくとも１箇所の汚泥に投入する工程、
（４）上記工程（３）で得られる脱水助剤が混合された汚泥を脱水する工程、を含むことを特徴とする汚泥の処理方法。
本方法３）において、工程（１）では、脱水工程に供給される固形物量が算出され、工程（２）では、この固形物量に応じた、該汚泥に単位時間当たりに添加すべき脱水助剤量（以下、脱水助剤単位量ともいう）が算出され、工程（３）では、該脱水助剤単位量に時間を乗じて得た値に相当する量の脱水助剤が、該汚泥に添加される脱水助剤の総量となるように、汚泥の処理経路、即ち、汚泥貯留槽、汚泥流路、汚泥計量槽、及び凝集槽から選択される少なくとも１箇所の汚泥に投入機構により投入され、工程（４）では、該脱水助剤の総量が添加された汚泥が脱水処理される。
上記脱水助剤単位量の単位としての時間は、任意に設定できる。本方法３）は、汚泥性状が時間的に変動する場合、例えば、種々の汚泥自体への処理を介在させた場合等に好適であり、最適な脱水助剤量を汚泥に添加することができる。
【手続補正６】
【補正対象書類名】特許請求の範囲
【補正対象項目名】全文
【補正方法】変更
【補正の内容】
【特許請求の範囲】
【請求項１】
（１）汚泥貯留槽内の汚泥容量、及び汚泥濃度を計測する工程、
（２）汚泥貯留槽に追加投入される汚泥の汚泥容量、及び汚泥濃度を計測する工程、
（３）上記工程（１）及び（２）から該汚泥貯留槽内の汚泥の固形物量、及び添加すべき脱水助剤量を算出する工程、
（４）前記算出された量の脱水助剤を投入機構により該汚泥貯留槽内の汚泥に一括乃至分割して投入する工程、
（５）上記工程（４）で得られた脱水助剤が混合された汚泥を脱水する工程、を含むことを特徴とする汚泥の処理方法。
【請求項２】
（１）汚泥貯留槽内の汚泥容量、及び汚泥濃度を計測する工程、
（２）汚泥貯留槽に追加投入される汚泥の汚泥容量、及び汚泥濃度を計測する工程、
（３）上記工程（１）における該汚泥貯留槽内の汚泥の固形物量、及び添加すべき脱水助剤量を算出する工程、
（４）上記工程（３）で算出された量の脱水助剤を投入機構により該汚泥貯留槽内の汚泥に一括乃至分割して投入する工程、
（５）上記工程（４）で得られた脱水助剤が混合された汚泥の脱水を開始する工程、
（６）上記工程（２）における追加の汚泥の固形物量、及び添加すべき脱水助剤量を算出する工程、
（７）上記工程（６）で算出された量の脱水助剤を該追加の汚泥に連動して投入機構により該汚泥貯留槽に添加する工程、を含むことを特徴とする汚泥の処理方法。
【請求項３】
（１）脱水工程に供給される汚泥の汚泥容量、及び汚泥濃度を計測する工程、
（２）上記工程（１）から該汚泥に単位時間当たりに添加すべき脱水助剤量を算出する工程、
（３）上記工程（２）で算出された量の脱水助剤を投入機構により汚泥貯留槽、汚泥流路、汚泥計量槽、及び凝集槽から選択される少なくとも１箇所の汚泥に投入する工程、
（４）上記工程（３）で得られる脱水助剤が混合された汚泥を脱水する工程、を含むことを特徴とする汚泥の処理方法。
【請求項４】
前記投入機構は、脱水助剤の収容部を有し、連続運転又は間欠運転にて該脱水助剤を該汚泥に投入できるようにタイマ制御できる手段が設けられた装置であることを特徴とする請求項１〜３のいずれか１項記載の汚泥の処理方法。
【請求項５】
前記脱水助剤は、セルロース短繊維であることを特徴とする請求項１〜４のいずれか１項記載の汚泥の処理方法。
【請求項６】
凝集剤、及びｐＨ調整剤から選択されるものを、汚泥に投入することを特徴とする請求項１〜５のいずれか１項記載の汚泥の処理方法。
【請求項７】
汚泥流路、汚泥貯留槽、汚泥計量槽、混和槽、及び脱水機を備え、汚泥が、汚泥流路により、汚泥貯留槽、汚泥計量槽、混和槽、及び脱水機の順に移送される汚泥の処理装置において、
脱水機にて脱水すべき汚泥の汚泥濃度、及び汚泥容量を計測し、添加される脱水助剤量を求めるための汚泥濃度・汚泥容量測定手段と、
前記汚泥容量測定手段より汚泥の固形物量、及び汚泥に混合される脱水助剤量を求める算出手段と、
汚泥貯留槽、汚泥流路、汚泥計量槽、及び混和槽の少なくとも何れか１箇所以上の汚泥に、一括乃至分割して前記脱水助剤量となるように脱水助剤を投入する投入手段と、
所望により凝集剤、又は脱水助剤が投入され、汚泥と混合する混合手段と、
を有することを特徴とする汚泥の処理装置。